(57)【要約】【課題】大型化を抑えるとともに、コスト増加を抑えること。【解決手段】実施形態に係る湯水混合水栓は、外郭部材と、内部流路部材とを備える。外郭部材は、金属製の筒状部材であり、水栓の外郭を形成する。内部流路部材は、樹脂製の部材であり、内部に流路を有し、外郭部材に挿入される。内部流路部材は、湯水混合部と、流量調整部と、本体とを備える。湯水混合部は、水および湯を混合する。流量調整部は、湯水の流量を調整する。流量調整部は、開口部を回動軸まわりに回動させる切替弁を備える。本体は、第１吐水口に連通する第１開口および第２吐水口に連通する第２開口を有する。第１開口および第２開口は、開口部に対して共に連通可能な位置に配置される。【選択図】図７
2020026624.tif 000002
【特許請求の範囲】
【請求項１】
外郭を形成する金属製の筒状の外郭部材と、
前記外郭部材に挿入され、内部に流路を有する樹脂製の内部流路部材と
を備え、
前記内部流路部材は、
それぞれの供給源から供給される水および湯を混合する湯水混合部と、
前記湯水混合部で混合された湯水の流量を調整する流量調整部と、
第１吐水口に連通する第１開口および第２吐水口に連通する第２開口を有する本体と
を備え、
前記流量調整部は、開口部を有するとともに該開口部を所定の回動軸まわりに回動させる切替弁を備え、
前記第１開口および前記第２開口は、前記開口部に対して共に連通可能な位置に配置されることを特徴とする湯水混合水栓。
【請求項２】
前記開口部を回動させる操作部をさらに備え、
前記開口部は、前記回動軸まわりに延びた１つの開口であることを特徴とする請求項１に記載の湯水混合水栓。
【発明の詳細な説明】
【技術分野】
【０００１】
開示の実施形態は、湯水混合水栓に関する。
【背景技術】
【０００２】
従来、湯水の混合量および吐水量を調節して吐水口から湯水を吐出する湯水混合水栓において金属製の筒状の外郭部材に樹脂製の内部流路部材が挿入された構造が知られている。
【０００３】
また、金属製の外郭部材に樹脂製の内部流路部材が挿入された構造を有する湯水混合水栓には、混合された湯水をカランおよびシャワーへ供給するためにそれぞれ流路を切り替える２つの開口が軸方向に並んで形成されたバルブ部材を備えるものがある（たとえば、特許文献１参照）。
【先行技術文献】
【特許文献】
【０００４】
【特許文献１】特開２００２−２２８０４０号公報
【発明の概要】
【発明が解決しようとする課題】
【０００５】
ところで、筒状の外郭部材に樹脂製の内部流路部材が挿入された構造においては、外郭部材と内部流路部材との間に流路の一部が形成されるため、外郭部材を鉛などの有害金属を含有する合金で形成した場合に、全世界的に厳格化傾向にある溶出規制に適応できないおそれがある。
【０００６】
そこで、本発明者らは、樹脂製の内部流路部材で流路を完結させることによって、外郭部材からの金属成分の溶出を抑制する構造を考案した。しかしながら、内部流路部材で流路を完結させる場合、上記した従来の湯水混合水栓のようにバルブ部材の軸方向に並んで２つの開口が形成されていると、２つのうちいずれか一方の開口から供給される湯水が外郭部材に接しないように湯水をたとえば迂回させるような流路が別途必要となるため、内部流路部材が大径となり水栓全体が大型化するおそれがある。また、流路も複雑化するため、コストが増加するおそれがある。
【０００７】
実施形態の一態様は、大型化を抑えることができるとともに、コスト増加を抑えることができる湯水混合水栓を提供することを目的とする。
【課題を解決するための手段】
【０００８】
実施形態の一態様に係る湯水混合水栓は、外郭を形成する金属製の筒状の外郭部材と、前記外郭部材に挿入され、内部に流路を有する樹脂製の内部流路部材とを備え、前記内部流路部材は、それぞれの供給源から供給される水および湯を混合する湯水混合部と、前記湯水混合部で混合された湯水の流量を調整する流量調整部と、第１吐水口に連通する第１開口および第２吐水口に連通する第２開口を有する本体とを備え、前記流量調整部は、開口部を有するとともに該開口部を所定の回動軸まわりに回動させる切替弁を備え、前記第１開口および前記第２開口は、前記開口部に対して共に連通可能な位置に配置されることを特徴とする。
【０００９】
かかる構成によれば、開口部が第１開口および第２開口のそれぞれと連通可能であるため、開口部から第１開口および第２開口へ湯水を直接供給することができ、内部流路部材で流路を完結させる場合に、外郭部材の内周面に接しない流路を別途形成する必要がなくなり、内部流路部材が大径となることがないため、水栓全体の大型化を抑えることができる。また、内部流路部材の流路が複雑化することもないため、製造にかかるコスト増加を抑えることができる。
【００１０】
また、前記開口部を回動させる操作部をさらに備え、前記開口部は、前記回動軸まわりに延びた１つの開口であることを特徴とする。
【００１１】
かかる構成によれば、開口部が回動軸まわりに延びた開口であるため、第１開口および第２開口のいずれか一方または両方に対して、１つの開口の回動によって開口部が連通可能となる。また、開口部を回動させる操作部の回動角度（操作量）が小さくなり、操作性を向上させることができる。
【発明の効果】
【００１２】
実施形態の一態様によれば、大型化を抑えることができるとともに、コスト増加を抑えることができる。
【図面の簡単な説明】
【００１３】
【図１】図１は、湯水混合水栓の斜視図である。
【図２】図２は、湯水混合水栓の正面図である。
【図３】図３は、図２におけるIII−III断面図である。
【図４Ａ】図４Ａは、流路の説明図（その１）である。
【図４Ｂ】図４Ｂは、流路の説明図（その２）である。
【図５】図５は、切替弁ユニットの斜視図である。
【図６】図６は、切替弁の分解斜視図である。
【図７】図７は、切替弁による吐水口の切り替え動作の説明図である。
【図８】図８は、切替弁の変形例の説明図である。
【発明を実施するための形態】
【００１４】
以下、添付図面を参照して、本願の開示する湯水混合水栓の実施形態を詳細に説明する。なお、以下に示す実施形態によりこの発明が限定されるものではない。
【００１５】
＜湯水混合水栓１の全体構成＞
まず、図１〜図３を参照して湯水混合水栓１の全体構成について説明する。図１は、湯水混合水栓１の斜視図である。図２は、湯水混合水栓１の正面図である。図３は、図２におけるIII−III断面図である。なお、図１〜図３には、説明の便宜上、鉛直上向きを正方向とするＺ軸を含む３次元の直交座標系を図示している。直交座標系は、他の図にも図示している場合がある。
【００１６】
直交座標系は、Ｘ軸の正方向を「左方」と規定し、Ｘ軸の負方向を「右方」と規定し、Ｙ軸の正方向を「前方」と規定し、Ｙ軸の負方向を「後方」と規定している。また、直交座標系は、Ｚ軸の正方向を「上方」と規定し、Ｚ軸の負方向を「下方」と規定している。このため、以下の説明では、Ｘ軸方向を左右方向、Ｙ軸方向を前後方向、Ｚ軸方向を上下方向という場合がある。
【００１７】
図１〜図３に示すように、湯水混合水栓１は、外郭部材２と、温度調整ハンドル３と、流量調整ハンドル４と、内部流路ユニット５と、吐水管６と、ハンドシャワー（不図示）とを備える。湯水混合水栓１は、吐水管６またはハンドシャワーから、水および湯を混合した混合水、または水を吐水する。
【００１８】
外郭部材２は、円筒状であり、水栓本体の外郭を形成し、左右方向に延設される。外郭部材２は、金属製の部材で構成される。外郭部材２は、左右方向に直交する断面が円形の内周面２ａを有する。外郭部材２の軸方向は、左右方向に一致する。なお、外郭部材２の外形は、円筒状に限らず、たとえば、矩形状でもよい。
【００１９】
外郭部材２には、後述する内部流路ユニット５が挿入される。外郭部材２には、下方から吐水管６を内部流路ユニット５に取り付けるための挿入孔が左右方向における中央付近に形成される。外郭部材２には、後方からハンドシャワーのシャワーホース７を内部流路ユニット５に取り付けるための挿入孔が左右方向における中央付近に形成される。
【００２０】
外郭部材２の左右いずれか一方の端部（たとえば、左端部）には、後方から給湯管８が取り付けられる。外郭部材２の左右いずれか他方の端部（たとえば、右端部）には、後方から給水管９が取り付けられる。
【００２１】
また、外郭部材２の左右いずれか一方の端部（たとえば、左端部）には、温度調整ハンドル３が取り付けられる。また、外郭部材２の左右いずれか他方の端部（たとえば、右端部）には、流量調整ハンドル４が取り付けられる。
【００２２】
温度調整ハンドル３は、外郭部材２に対して左右方向の軸（外郭部材２の中心軸）まわりに回動可能に取り付けられる。温度調整ハンドル３は、回動位置に応じて吐水管６またはハンドシャワーから吐水される流体の種類を、水または混合水に切り替える。具体的には、温度調整ハンドル３は、水に湯を混合するか否かを切り替える。温度調整ハンドル３は、吐水管６またはハンドシャワーから混合水を吐水する場合に、回動位置に応じて混合水の温度を設定する。
【００２３】
流量調整ハンドル４は、外郭部材２に対して左右方向の軸まわりに回動可能に取り付けられる。流量調整ハンドル４は、回動位置に応じて、水または混合水の吐水先を、吐水管６またはハンドシャワーに切り替える。流量調整ハンドル４は、回動位置に応じて、吐水管６またはハンドシャワーから吐水される水または混合水の流量を調整する。
【００２４】
＜内部流路ユニット５＞
次に、図３〜図５を参照して内部流路ユニット５について説明する。図４Ａおよび図４Ｂは、流路Ｒの説明図である。なお、図４Ｂは、図４ＡにおけるＡ部拡大図である。図４Ｂには、水導入流路Ｒｂの第２流路Ｒｂ２を示している。図５は、内部流路ユニット５の斜視図である。
【００２５】
内部流路ユニット５は、給水管９から供給される水を、外郭部材２の内周面２ａと、内部流路ユニット５の外周面（後述する内部流路部材５０の本体５１の外周面５１ａ）との間を通さずに流すユニットである。すなわち、内部流路ユニット５は、内部で流路Ｒを完結させたユニットである。図３に示すように、内部流路ユニット５は、内部流路部材５０と、温度調整機構（湯水混合部６０）と、流量調整機構（流量調整部７０）とを備える。
【００２６】
内部流路部材５０は、本体５１と、蓋体５２と、シール部材５３とを備える。本体５１は、樹脂製の部材であり、外郭部材２の内周面２ａにあわせて、円筒状に形成される。なお、本体５１は、ＰＰＳ（ポリフェニレンサルファイド）などのような強度の高い樹脂で形成されることが好ましい。本体５１の内部には、温度調整機構である湯水混合部６０と、流量調整機構である流量調整部７０とが設けられる。
【００２７】
蓋体５２は、本体５１の外周面５１ａに取り付けられる。なお、蓋体５２は、高強度が好ましい本体５１とは異なり、強度の弱い樹脂で形成されてもよい。シール部材５３は、軟質の樹脂製であり、環状に形成され、本体５１と蓋体５２との間に設けられる。
【００２８】
湯水混合部６０は、それぞれの供給源から供給される水と湯とを混合する。湯水混合部６０は、感温ばね６１と、バイアスばね６２と、弁体６３と、ライナ６４と、スピンドル６５とを備える。
【００２９】
感温ばね６１は、左右方向の中央側に設けられた第１支持ケース６６に収容される。感温ばね６１は、温度に応じてばね定数が変化するばねであり、たとえば、形状記憶合金によって構成される。感温ばね６１は、後述する弁体６３を左右いずれか一方（左方）に向けて付勢する。
【００３０】
バイアスばね６２は、第１支持ケース６６よりも左方に設けられた第２支持ケース６７に収容される。バイアスばね６２は、後述する吐水流路Ｒｃ（図４Ａ参照）に設けられる。バイアスばね６２は、温度に対してばね定数がほぼ一定のばねである。バイアスばね６２は、弁体６３を左右いずれか他方（右方）に向けて付勢する。
【００３１】
弁体６３は、第１支持ケース６６と第２支持ケース６７との間に設けられる。弁体６３は、左右方向に摺動可能となるように、隔離壁６８を介して本体５１に支持される。隔離壁６８は、後述する湯導入流路Ｒａと水導入流路Ｒｂとを左右方向において隔離する。弁体６３には、左右方向に貫通する貫通孔（不図示）が形成される。
【００３２】
弁体６３は、感温ばね６１の付勢力とバイアスばね６２の付勢力とに応じて左右方向に移動し、湯導入流路Ｒａと吐水流路Ｒｃとの連通状態を調整する。具体的には、弁体６３は、感温ばね６１の付勢力がバイアスばね６２の付勢力よりも大きい場合には、左方に移動する。弁体６３が左方に移動し、第１支持ケース６６に当接すると、湯導入流路Ｒａと吐水流路Ｒｃとの連通が遮断され、湯が吐水流路Ｒｃに流入しなくなる。
【００３３】
また、弁体６３は、バイアスばね６２の付勢力が感温ばね６１の付勢力よりも大きい場合には、右方に移動する。たとえば、弁体６３が第１支持ケース６６に当接した状態から、バイアスばね６２の付勢力が大きくなり、第１支持ケース６６から離間すると、湯導入流路Ｒａと吐水流路Ｒｃとが連通し、湯が吐水流路Ｒｃに流入する。
【００３４】
弁体６３は、第１支持ケース６６から離間した状態では、感温ばね６１の付勢力とバイアスばね６２の付勢力とが釣り合う位置に保持される。弁体６３と第１支持ケース６６との距離が長くなるほど、吐水流路Ｒｃに流入する湯量が多くなる。また、弁体６３と第１支持ケース６６との距離が長くなるほど、弁体６３と第２支持ケース６７との距離が短くなり、吐水流路Ｒｃに流入する水量が少なくなる。
【００３５】
ライナ６４は、バイアスばね６２の弁体６３とは反対側の端部に当接し、スピンドル６５を介して温度調整ハンドル３に接続される。スピンドル６５は、第２支持ケース６７に回動可能に支持され、温度調整ハンドル３の回動運動をライナ６４の左右方向における直進運動に変換する。このため、ライナ６４は、温度調整ハンドル３の回動に応じて左右方向に移動する。
【００３６】
湯水混合部６０では、温度調整ハンドル３の回動位置にあわせて、ライナ６４が左右方向に移動する。すなわち、湯水混合部６０は、温度調整ハンドル３の回動位置にあわせて、感温ばね６１の付勢力とバイアスばね６２の付勢力とが釣り合う位置に弁体の位置を変更することができる。これにより、湯水混合部６０は、混合水を吐水する場合に、混合水の温度を温度調整ハンドル３の回動位置に応じた設定温度とすることができる。
【００３７】
また、混合水を吐水する場合に、たとえば、湯の温度が変わり混合水の温度が変化すると、混合水の温度に応じて感温ばね６１が伸縮し、弁体６３が左右方向に移動し、弁体６３の釣り合い位置が自動的に変更される。これにより、吐水流路Ｒｃに流入する湯量および水量が調整され、混合水の温度が自動的に調整される。
【００３８】
流量調整部７０は、切替弁ユニットＵ（図５参照）を備える。切替弁ユニットＵは、軸部７１と、切替弁７２とを備える。軸部７１は、支持ケース７３に収容され、支持ケース７３に回動可能に支持される。軸部７１は、左右いずれか一方の端部が（右端部）が流量調整ハンドル４に接続され、他方の端部が切替弁７２に接続される。
【００３９】
切替弁７２は、吐水流路Ｒｃに設けられる。切替弁７２は、有底の円筒状であり、流量調整ハンドル４の回動にあわせて回動し、本体５１の内周面５１ｂにおいて摺動する。切替弁７２は、本体５１に形成された２つの開口５１１、すなわち、第１開口５１１ａおよび第２開口５１１ｂ（いずれも、図７参照）へ向かうように設けられる。ここで、第１開口５１１ａは、たとえば、シャワーホース７へ通じる開口であり、第２開口５１１ｂは、たとえば、吐水管６へ通じる開口である。
【００４０】
また、切替弁７２には、開口部７２３（図５参照）が形成される。流量調整ハンドル４の回動にあわせて切替弁７２が回動することで、開口部７２３は、第１開口５１１ａまたは第２開口５１１ｂと連通する。
【００４１】
流量調整ハンドル４が所定の止水位置にある場合には、開口部７２３は、第１開口５１１ａおよび第２開口５１１ｂとは連通しない。このため、流量調整ハンドル４が所定の止水位置にある場合には、水または混合水は、吐水管６およびハンドシャワーから吐水されない。
【００４２】
また、流量調整ハンドル４が、止水位置から後方に向けて回動した場合には、たとえば、開口部７２３が第１開口５１１ａ（シャワーホース７へ通じる開口）と連通する。これにより、水または混合水は、第１開口５１１ａからシャワーホース７に流入し、ハンドシャワーから吐水される。以下では、ハンドシャワーを湯水混合水栓１の「第１吐水口」という場合がある。
【００４３】
また、流量調整ハンドル４が、止水位置から前方に向けて回動した場合には、たとえば、開口部７２３が第２開口５１１ｂ（吐水管６へ通じる開口）と連通する。これにより、水または混合水は、第２開口５１１ｂから吐水管６に流入し、吐水管６から吐水される。以下では、吐水管６を湯水混合水栓１の「第２吐水口」という場合がある。
【００４４】
切替弁７２は、流量調整ハンドル４の回動位置に応じて開口部７２３と、第１開口５１１ａまたは第２開口５１１ｂとが連通する面積を変更することができる。すなわち、流量調整部７０は、流量調整ハンドル４の回動位置にあわせて、吐水管６またはハンドシャワーから吐水される水または混合水の流量を調整することができる。なお、切替弁ユニットＵの構成については、図５を用いて後述する。また、切替弁７２の構成などについては、図６〜図８を用いて後述する。
【００４５】
図４Ａおよび図４Ｂに示すように、内部流路ユニット５には、湯Ｗ１、水Ｗ２または混合水Ｗ３が流れる流路Ｒ（図３参照）が形成される。すなわち、流路Ｒは、湯導入流路Ｒａと、水導入流路Ｒｂと、吐水流路Ｒｃとを備える。
【００４６】
湯導入流路Ｒａは、第１接続部材１１を介して給湯管８から供給された湯Ｗ１が流れる。湯導入流路Ｒａは、本体５１と、湯水混合部６０の弁体６３と、第１支持ケース６６と、第２支持ケース６７と、隔離壁６８（いずれも、図３参照）とによって形成される。
【００４７】
水導入流路Ｒｂは、第２接続部材１２を介して給水管９から供給された水Ｗ２が流れる。水導入流路Ｒｂは、第１流路Ｒｂ１と、第２流路Ｒｂ２と、第３流路Ｒｂ３とを備える。第１流路Ｒｂ１は、本体５１と、流量調整部７０の支持ケース７３（いずれも、図３参照）とによって形成され、第２接続部材１２から水Ｗ２が流入する。
【００４８】
第２流路Ｒｂ２は、第１流路Ｒｂ１および第３流路Ｒｂ３と連通する。第２流路Ｒｂ２は、本体５１の外周面５１ａにおける前方の中央付近に形成された凹部５１２と、凹部５１２を覆う蓋体５２の内周面５２ａとによって形成される。
【００４９】
第２流路Ｒｂ２は、凹部５１２の左右いずれか一方（右方）の底部に形成された流入孔５１３を介して第１流路Ｒｂ１と連通し、第１流路Ｒｂ１から水Ｗ２が流入する。また、第２流路Ｒｂ２は、凹部５１２の左右いずれか他方（左方）の底部に形成された流出孔５１４を介して第３流路Ｒｂ３と連通し、第３流路Ｒｂ３に水Ｗ２を流出させる。
【００５０】
第３流路Ｒｂ３は、本体５１と、湯水混合部６０の第１支持ケース６６と、弁体６３と、隔離壁６８（いずれも、図３参照）とによって形成される。第３流路Ｒｂ３は、左右方向において隔離壁６８を挟んで湯導入流路Ｒａと隣り合うように形成される。
【００５１】
吐水流路Ｒｃは、湯導入流路Ｒａや水導入流路Ｒｂよりも本体５１の径方向の内側に、湯水混合部６０の第１支持ケース６６、第２支持ケース６７などによって形成される。吐水流路Ｒｃは、水導入流路Ｒｂの第３流路Ｒｂ３と連通し、第３流路Ｒｂ３から水が流入する。
【００５２】
また、吐水流路Ｒｃは、温度調整ハンドル３の回動に応じた湯水混合部６０の弁の移動によって湯導入流路Ｒａと連通可能である。吐水流路Ｒｃは、湯導入流路Ｒａと連通し、湯導入流路Ｒａから湯Ｗ１が流入した場合には、水Ｗ２と湯Ｗ１とを混合し、混合水Ｗ３を生成する。
【００５３】
吐水流路Ｒｃは、左右方向の中央付近で本体５１に形成された第１開口５１１ａ（図７参照）を介して湯水混合水栓１の第１吐水口であるシャワーホース７と連通可能である。また、吐水流路Ｒｃは、左右方向の中央付近で本体５１に形成された第２開口５１１ｂ（図７参照）を介して湯水混合水栓１の第２吐水口である吐水管６と連通可能である。また、吐水流路Ｒｃには、第１開口５１１ａや第２開口５１１ｂを開閉する切替弁７２が設けられる。
【００５４】
なお、湯導入流路Ｒａ、水導入流路Ｒｂおよび吐水流路Ｒｃを構成する部材には、各流路Ｒａ，Ｒｂ，Ｒｃから水などが漏れないようにシール部材が設けられている。
【００５５】
また、図５に示すように、内部流路ユニット５は、外郭部材２に挿入される。ここで、「挿入」とは、内部流路ユニット５を、外郭部材２の内周面２ａから摩擦抵抗を受けながら外郭部材２の軸方向に押し込むことをいう。蓋体５２は、内部流路ユニット５が外郭部材２に挿入された状態では、内部流路部材５０の本体５１の外周面５１ａ上において外郭部材２の内周面２ａによって本体５１の径方向の内側に向けて押さえ付けられ、本体５１の径方向の外側への移動が規制されている。
【００５６】
＜切替弁ユニットＵ＞
次に、図５を参照して切替弁ユニットについて説明する。図５は、切替弁ユニットＵの斜視図である。図５に示し、かつ、上記したように、切替弁ユニットＵは、軸部７１と、切替弁７２とを備える。軸部７１は、左右いずれか一方の端部（右端部）に、切替弁ユニットＵの操作部である流量調整ハンドル４（図３参照）を接続するための一方の接続部７１１を備える。一方の接続部７１１は、スプライン軸によって構成される。
【００５７】
また、軸部７１は、左右いずれか他方の端部（左端部）に、切替弁７２の弁本体７２１を接続するための他方の接続部７１２を備える。他方の接続部７１２には、スナップリングなどの規制部材７１４が取り付けられる。規制部材７１４は、軸部７１に接続された切替弁７２の軸方向の移動を規制する。軸部７１には、複数の凹部７１３が形成される。すなわち、軸部７１は、軽量化や材料コストの低減化のために、いわゆる肉抜きされている。
【００５８】
軸部７１は、自らの軸まわりに回転することで、切替弁７２の開口部７２３を、仮想軸である所定の回動軸ＡＸまわり（すなわち、軸部７１の軸まわり）に回動させる。
【００５９】
＜切替弁７２＞
次に、図６および図７を参照して切替弁７２について説明する。図６は、切替弁７２の分解斜視図である。図７は、切替弁７２による吐水口（第１吐水口および第２吐水口）の切り替え動作の説明図である。なお、図７には、図中の左方に第１開口５１１ａと開口部７２３との連通状態を示し、図中の右方に第２開口５１１ｂと開口部７２３との連通状態を示している。
【００６０】
図６に示すように、切替弁７２は、弁本体７２１と、開口部形成部材７２２とを備える。弁本体７２１は、切替弁７２の本体であり、上記したように、有底の円筒状である。弁本体７２１の底面７２１ａには、挿通孔７２１ｂが形成される。挿通孔７２１ｂには、軸部７１の他方の接続部７１２が挿通される。
【００６１】
弁本体７２１の側周面には、２つの取り付け開口７２１ｃが形成される。２つの取り付け開口７２１ｃには、開口部形成部材７２２がそれぞれ取り付けられる。開口部形成部材７２２は、第１枠部材７２２ａと、第２枠部材７２２ｂとを備える。第１枠部材７２２ａは、枠状の部材であり、弁本体７２１の取り付け開口７２１ｃに嵌め込まれる。第２枠部材７２２ｂは、枠状の部材であり、第１枠部材７２２ａに嵌め込まれる。
【００６２】
また、切替弁７２は、上記したように、開口部７２３を有する。開口部７２３は、第２枠部材７２２ｂによって形成され、かつ、第２枠部材７２２ｂによって開口範囲が規定される。開口部７２３は、第１開口部７２３ａと、第２開口部７２３ｂとを備える。第１開口部７２３ａは、たとえば、第１吐水口（ハンドシャワー）である第１開口５１１ａに対して連通可能である。第２開口部７２３ｂは、たとえば、第２吐水口（吐水管６）である第２開口５１１ｂに対して連通可能である。
【００６３】
図７に示すように、開口部７２３は、切替弁７２の操作部である流量調整ハンドル４（図３参照）によって回動軸ＡＸまわりに回動されることで、第１開口５１１ａまたは第２開口５１１ｂと連通する。具体的には、第１開口部７２３ａと第２開口部７２３ｂとは、正面視において上下方向、平面視において前後方向に並んでいる。また、第１開口５１１ａと第２開口５１１ｂとは、開口部７２３に対して共に連通可能な位置に配置される。すなわち、第１開口５１１ａと第２開口５１１ｂとは、正面視において上下方向、平面視において前後方向に並んで配置され、第１開口５１１ａは、第１開口部７２３ａに対して連通可能な位置に配置され、第２開口５１１ｂは、第２開口部７２３ｂに対して連通可能な位置に配置される。
【００６４】
このように、開口部７２３（第１開口部７２３ａおよび第２開口部７２３ｂ）が第１開口５１１ａおよび第２開口５１１ｂのそれぞれと連通可能であるため、開口部７２３の回動によって第１開口５１１ａと連通、第２開口５１１ｂと連通、第１開口５１１ａおよび第２開口５１１ｂの両方と連通、第１開口５１１ａおよび第２開口５１１ｂの両方と非連通を切り替えることができる。
【００６５】
これにより、開口部７２３から第１開口５１１ａおよび第２開口５１１ｂへ湯水を直接供給することができ、内部流路部材５０で流路Ｒを完結させる場合に、外郭部材２の内周面２ａに接しない流路を別途形成する必要がなくなり、内部流路部材５０が大径となることがないため、水栓全体の大型化を抑えることができる。また、内部流路部材５０の流路Ｒが複雑化することもないため、製造にかかるコスト増加を抑えることができる。
【００６６】
＜切替弁７２の変形例（切替弁７２Ａ）＞
図８は、切替弁７２の変形例（切替弁７２Ａ）の説明図である。以下で説明する変形例は、開口部７２３Ａにおいて上記した切替弁７２とは構成が異なる。図８に示すように、切替弁７２Ａにおいては、開口部７２３Ａは、弁本体７２１Ａの側周面に形成され、側周面において回動軸ＡＸまわりに延びた、すなわち、弁本体７２１Ａの側周面上において周方向に延びた１つの開口で構成される。
【００６７】
開口部７２３Ａは、流量調整ハンドル４（図３参照）によって回動軸ＡＸまわりに回動されることで、第１開口５１１ａまたは第２開口５１１ｂ（いずれも、図７参照）と連通する。開口部７２３Ａは、たとえば、第１開口５１１ａに対しては一方半部７２３Ａａが連通し、第２開口５１１ｂに対しては他方半部７２３Ａｂが連通する。第１開口５１１ａは、開口部７２３Ａの一方半部７２３Ａａに対して連通可能な位置に配置され、第２開口５１１ｂは、開口部７２３Ａの他方半部７２３Ａｂに対して連通可能な位置に配置される。
【００６８】
また、開口部７２３Ａは、弁本体７２１Ａの側周面が第１開口５１１ａおよび第２開口５１１ｂの両方を塞ぐことで、第１開口５１１ａおよび第２開口５１１ｂの両方に対して非連通となる。
【００６９】
このように、変形例に係る切替弁７２Ａにおいても、開口部７２３Ａが第１開口５１１ａおよび第２開口５１１ｂのそれぞれと連通可能であるため、開口部７２３Ａの回動によって第１開口５１１ａと連通、第２開口５１１ｂと連通、第１開口５１１ａおよび第２開口５１１ｂの両方と連通、第１開口５１１ａおよび第２開口５１１ｂの両方と非連通を切り替えることができる。
【００７０】
これにより、開口部７２３Ａから第１開口５１１ａおよび第２開口５１１ｂへ湯水を直接供給することができ、内部流路部材５０で流路Ｒを完結させる場合に、上記した切替弁７２と同様、内部流路部材５０が大径となることがないため、水栓全体の大型化を抑えることができる。また、内部流路部材５０の流路Ｒが複雑化することもないため、製造にかかるコスト増加を抑えることができる。
【００７１】
また、たとえば、第１吐水口および第２吐水口からそれぞれ吐出させる湯水の流量を確保するためには、第１開口５１１ａと第２開口５１１ｂとが回動軸ＡＸまわりにおいて離れている必要があるが、開口部７２３Ａが回動軸ＡＸまわりに延びた開口であるため、第１開口５１１ａおよび第２開口５１１ｂのそれぞれまたは両方に対して、１つの開口の回動によって開口部７２３Ａが連通可能となる。
【００７２】
また、開口部７２３Ａを回動させる流量調整ハンドル４（図３参照）の回動角度（操作量）が小さくなるため、操作性を向上させることができる。
【００７３】
なお、上記した実施形態では、開口部７２３（開口部７２３Ａ）は、単なる開口であるが、たとえば、メッシュ状またはスリット状に形成されたものでもよい。このような構成でも、上記した実施形態と同様、開口部７２３（開口部７２３Ａ）から第１開口５１１ａおよび第２開口５１１ｂへ湯水を直接供給することができる。
【００７４】
また、上記した実施形態では、開口部７２３（開口部７２３Ａ）は、２つの開口（第１開口５１１ａおよび第２開口５１１ｂ）に対して連通するが、たとえば、３つ以上の開口に対して連通可能に構成されてもよい。なお、この場合も、開口は、正面視において上下方向、平面視において前後方向に並んで配置される。
【００７５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７６】
１    湯水混合水栓
２    外郭部材
４    操作部（流量調整ハンドル）
５０    内部流路部材
５１    本体
５１１ａ  第１開口
５１１ｂ  第２開口
６０    湯水混合部
７０    流量調整部
７２    切替弁
７２３    開口部
ＡＸ    回動軸
Ｒ    流路
【図１】
2020026624.tif 000003
【図２】
2020026624.tif 000004
【図３】
2020026624.tif 000005
【図４Ａ】
2020026624.tif 000006
【図４Ｂ】
2020026624.tif 000007
【図５】
2020026624.tif 000008
【図６】
2020026624.tif 000009
【図７】
2020026624.tif 000010
【図８】
2020026624.tif 000011